(57)【要約】【課題】本発明は、量水標自体を取り外すことなく、簡単に清掃を行うことができる量水標を提供することを課題とする。【解決手段】水位計測用目盛が付された長尺な量水板を長手方向に分割した板材３ａ、３ｂ、３ｃと、該板材３ａの正面と対面するように他の板材３ｂの裏側に配置される第１清掃ブラシ６ａと、板材３ｂの正面と対面するように他の板材３ｃの裏側に配置される第２清掃ブラシ６ｂと、板材３ｂの正面に第１清掃ブラシ６ａを接触させつつ、板材３ａを移動させ、又は、板材３ｃの正面に第２清掃ブラシ６ｂを接触させつつ、板材３ｂを移動させるために、板材３ａを上方に移動させるために取り付けられたワイヤ２５とを備えていることを特徴とする。【選択図】  図１
2010243228.tif 000002
【特許請求の範囲】
【請求項１】
水位計測用目盛や洪水危険レベルなどの標示が正面に付された長尺の量水板を長手方向に分割した複数の板材と、該板材の正面と対面するように他の板材の裏側に配置される清掃部材と、板材の正面に他の板材の裏側に配置される清掃部材を接触させつつ、板材もしくは他の板材のいずれかを板材の長手方向に移動させることで、板材の正面を清掃する操作手段とを備えることを特徴とする量水標。
【請求項２】
板材の正面に他の板材の裏側に配置される清掃部材を接触させつつ、移動可能なように板材と他の板材を連結する連結手段を備えており、操作手段を操作することにより、板材を移動させて、他の板材を従動させ、もしくは、他の板材を移動させて、板材を従動させる請求項１に記載の量水標。
【請求項３】
他の板材の裏側に配置される清掃部材と対面しない板材の正面と接触可能な位置に第２の清掃部材を備えており、操作手段を操作することにより、第２の清掃部材と接触する位置より下方の面を清掃可能な請求項１又は２に記載の量水標。
【請求項４】
量水板を分割した複数の板材に付された標示を外部から視認可能なように覆い、且つ、操作手段によって移動させる方向に沿って延設されたガイド溝を備える防護カバーを備える請求項１〜３のいずれか１項に記載の量水標。
【発明の詳細な説明】
【技術分野】
【０００１】
本発明は、量水標に関し、例えば、ダム、貯水池、水槽などの水位を計測するため、又は、洪水などの危険水位を表示するために用いられる量水標に関する。
【背景技術】
【０００２】
従来より、ダムや貯水池、水槽などにおいて、水位を計測するために、フロート式や圧力式の水位記録計が用いられていた。また、水位記録計の異常動作時のバックアップ及び平常時における水位記録計の指示値の確認などのために、水位計測用目盛を付された量水標が用いられる。
【０００３】
かかる量水標は、ダムの堤体などに沿わせて配置される。しかし、このような量水標は、長期間使用することによって、泥やコケなどが付着したりして、水位計測用目盛の読み取りに支障をきたすことがあり、清掃や取替えが必要となる。そして、量水標の清掃や取替え作業は、水面下で作業するための仮設足場の設置や貯水位の水位制限などを行ったり、また、発電所を停電させたりするため、大変手間な作業であり、工事費も高価である。
【０００４】
そこで、従来技術の量水標には、水位計測用目盛などが標示された量水板の両端及び下端を囲ったスライド式カバーに量水板を装着し、上方に引き出し可能に構成されるものがある。そして、量水板を上方に引き出して、作業員の手によって、量水板を清掃するものであった（特許文献１参照）。また、他の従来技術の量水標には、複数に分割された量水板を折り曲げ可能に直列に連結されて構成されているものがある。そして、量水標の取り替え、清掃の都度、上端を引っ張り上げることで量水標全体を引き上げて、作業員の手によって、清掃するものであった（特許文献２及び３参照）。
【先行技術文献】
【特許文献】
【０００５】
【特許文献１】実開平０５−０８４８３０号公報
【特許文献２】特開２００５−２７３２０３号公報
【特許文献３】実用新案登録第３１３２２８８号公報
【発明の概要】
【発明が解決しようとする課題】
【０００６】
しかし、上記従来技術の量水標は、量水標の清掃のたびに、量水標自体を取り外さなければ清掃することができず、作業員にかかる負担が大きいものであった。
【０００７】
そこで、本発明は、上述した問題に鑑み、量水標自体を取り外すことなく、簡単に清掃を行うことができる量水標を提供することを課題とする。
【課題を解決するための手段】
【０００８】
本発明に係る量水標は、水位計測用目盛や洪水危険レベルなどの標示が正面に付された長尺の量水板を長手方向に分割した複数の板材と、該板材の正面と対面するように他の板材の裏側に配置される清掃部材と、板材の正面に他の板材の裏側に配置される清掃部材を接触させつつ、板材もしくは他の板材のいずれかを板材の長手方向に移動させることで、板材の正面を清掃する操作手段とを備えることを特徴とする。
【０００９】
かかる構成によれば、操作手段を操作して、清掃部材を裏側に配置する他の板材を移動させて、清掃部材を板材の正面に接触させつつ、移動させることで、清掃部材と接触する位置より上方の面に付された水位計測用目盛や洪水危険レベルなどの標示が清掃される。そして、これを繰り返すことで、複数に分割された量水板の正面を清掃することができ、量水標を取り外すことなく、簡単に清掃を行うことができる。また、操作手段を操作して、他の板材の裏側に配置される清掃部材と対面する板材を移動させる場合も同様である。
【００１０】
また、本発明に係る量水標は、板材の正面に他の板材の裏側に配置される清掃部材を接触させつつ、移動可能なように板材と他の板材を連結する連結手段を備えており、操作手段を操作することにより、板材を移動させて、他の板材を従動させ、もしくは、他の板材を移動させて、板材を従動させるようにすることができる。
【００１１】
かかる構成によれば、操作手段を操作して、清掃部材を裏側に配置する他の板材を移動させて、清掃部材を板材の正面に接触させつつ、移動させることができ、清掃することができる。さらに、板材と他の板材は、連結手段により連結されているため、板材を移動させることにより、他の板材を従動させ、他の板材の裏側に配置される清掃部材を、該清掃部材と対面する、板材及び他の板材とは別の板材の正面に接触させつつ、移動させることができ、清掃部材と接触する位置より上方の面に付着された標示を清掃することができる。そして、これを繰り返すことで、複数に分割された量水板の正面を清掃することができ、量水標を取り外すことなく、簡単に清掃を行うことができる。また、操作手段を操作して、他の板材の裏側に配置される清掃部材と対面する板材を移動させる場合も同様である。
【００１２】
また、本発明に係る量水標は、他の板材の裏側に配置される清掃部材と対面しない板材の正面と接触可能な位置に第２の清掃部材を備えており、操作手段を操作することにより、第２の清掃部材と接触する位置より下方の面を清掃可能なようにすることができる。
【００１３】
かかる構成によれば、操作手段を操作して、清掃部材を裏側に配置する他の板材を移動させることで、該他の板材の正面と接触可能な位置に第２の清掃部材に接触しつつ、移動させることができ、第２の清掃部材と接触する位置より下方の面に付された標示を清掃することができる。そして、他の板材の裏側に配置される清掃部材と対面しない板材を量水標を取り外すことなく、簡単に該板材も清掃することができる。
【００１４】
また、本発明に係る量水標は、量水板を分割した複数の板材に付された標示を外部から視認可能なように覆い、且つ、操作手段によって移動させる方向に沿って延設されたガイド溝を備える防護カバーを備えるようにすることができる。
【００１５】
かかる構成によれば、操作手段を操作することで、量水標を分割した複数の板材を防護カバーに備えるガイド溝に沿って、移動させることができ、また、従動させることができ、量水標の清掃を容易に行うことができる。
【発明の効果】
【００１６】
以上の如く、本発明に係る量水標によれば、量水標自体を取り外すことなく、簡単に清掃を行うことができるという優れた効果を奏する。
【図面の簡単な説明】
【００１７】
【図１】第一実施形態に係る量水標であって、（ａ）は、正面図、（ｂ）は、（ａ）に記載した矢視Ａ−Ａ’の断面図、及び、（ｃ）は、すべての量水標部材を引き上げた状態の、（ａ）に記載した矢視Ｂ−Ｂ’の断面図、を示す。
【図２】同実施形態に係る量水標の操作手段を操作したときの量水標部材の位置について説明する図を示す。
【図３】第二実施形態に係る量水標であって、（ａ）は、正面図、（ｂ）は、（ａ）に記載した矢視Ａ−Ａ’の断面図、及び、（ｃ）は、すべての量水標部材を引き上げた状態の、（ａ）に記載した矢視Ｂ−Ｂ’の断面図、を示す。
【図４】同実施形態に係る量水標の操作手段を操作したときの量水標部材の位置について説明する図を示す。
【図５】第一実施形態の変形例１に係る量水標の操作手段を操作したときの量水標部材の位置について説明する図を示す。
【図６】第一実施形態の変形例２に係る量水標の操作手段を操作したときの量水標部材の位置について説明する図を示す。
【発明を実施するための形態】
【００１８】
以下、本発明に係る量水標の第一実施形態について、図１及び図２を参酌しつつ、説明する。
【００１９】
＜第一実施形態＞
まず、本実施形態に係る量水標の構成について、図１を参酌しつつ説明する。該量水標１は、水位計測用目盛などの標示が正面に付される量水標本体２を備えている。そして、本実施形態に係る量水標１は、水位３ｍまで計測可能な水位計測用目盛の標示が付されたものを例に説明する。
【００２０】
量水標本体２は、３基の量水標部材３ａ，３ｂ，３ｃを備えており、該量水標部材３ａ，３ｂ，３ｃは、水位計測用目盛の標示が正面に付された銅製で長尺の量水板を長手方向に３分割した３基の第１板材４ａ，第２板材４ｂ，第３板材４ｃを備えている。具体的には、第１板材４ａは、０ｍ〜１．０ｍまでの水位計測用目盛が付されている。第２板材４ｂは、１．０ｍ〜２．０ｍまでの水位計測用目盛が付されている。第３板材４ｃは、２．０ｍ〜３．０ｍまでの水位計測用目盛が付されている。そして、各量水標部材３ａ，３ｂ，３ｃは、正面に板材４ａ，４ｂ，４ｃを取り付けられるＳＵＳ製で板状の架台５ａ，５ｂ，５ｃを備えている。具体的には、第１量水標部材３ａは、第１架台５ａを、第２量水標部材３ｂは、第２架台５ｂを、そして、第３量水標部材３ｃは、第３架台５ｃを備えている。
【００２１】
さらに、量水標本体２は、均一の長さのブラシの毛を各架台５ａ，５ｂに埋め込んだものである清掃部材を備えている。そして、該清掃部材は、第二量水標部材３ｂに取り付けられた板材４ｂと対面するように、第一量水標部材３ａに取り付けられた板材４ａの裏側に（間接的に）配置される第１清掃ブラシ６ａと、第三量水標部材３ｃに取り付けられた板材４ｃと対面するように、第二量水標部材３ｂに取り付けられた板材４ｂの裏側に（間接的に）配置される第２清掃ブラシ６ｂである。そして、清掃ブラシ６ａ，６ｂは、それぞれが対面する板材４ａ，４ｂに付着した泥やコケなどを取り除くために備えられている。
【００２２】
また、量水標本体２は、板材４ｂ，４ｃの正面に清掃ブラシ６ａ，６ｂを接触させつつ移動可能なように、第２板材４ｂと第１板材４ａとを、及び、第３板材４ｃと第２板材４ｂとを（間接的に）連結する連結手段を備えている。そして、第２板材４ｂと第１板材４ａとを（間接的に）連結する連結手段は、第２板材４ｂを取り付ける第２架台５ｂと第１清掃ブラシ６ａを取り付ける第１架台５ａとを連結する第１連結部材７ａと、該第１連結部材７ａが第２板材４ｂの正面に第１清掃ブラシ６ａを接触させつつ移動可能なように、第１架台５ａの背面側に設けられた第１背面側ガイドレーン８ａと、第２架台５ｂの正面側に設けられた第１正面側ガイドレーン９ａとを備えている。さらに、第３板材４ｃと第２板材４ｂとを（間接的に）連結する連結手段は、第３板材４ｃを取り付ける第３架台５ｃと第２清掃ブラシ６ｂを取り付ける第２架台５ｂとを連結する第２連結部材７ｂと、該第２連結部材７ｂが第３板材４ｃの正面に第２清掃ブラシ６ｂを接触させつつ移動可能なように、第２架台５ｂの背面側に設けられた第２背面側ガイドレーン８ｂと、第３架台５ｃの正面側に設けられた第２正面側ガイドレーン９ｂとを備えている。
【００２３】
そして、連結部材７ａ，７ｂは、Ｉ形をした棒部材であり、両端部が直交方向に広がった形状をしている。また、ガイドレーン８ａ，８ｂ，９ａ，９ｂは、架台５ａ，５ｂ，５ｃの両端部を残して、架台５ａ，５ｂ，５ｃの長手（上下）方向に連続する溝である。例えば、第１背面側ガイドレーン８ａは、第１架台５ａの背面側で長手（上下）方向の両側に設けられた直線状の溝である。また、第２正面側ガイドレーン９ａは、第１量水標部材３ａと第２量水標部材３ｂとを第１清掃ブラシ６ａと第２板材４ｂとが対面するように重ね合わした状態で、第１背面側ガイドレーン８ａと重なり合う位置に設けられた直線状の溝である。また、第２背面側ガイドレーン８ｂと第２正面側ガイドレーン９ｂも同様である。よって、連結部材７ａ，７ｂは、背面側ガイドレーン８ａ，８ｂと正面側ガイドレーン９ａ，９ｂとに嵌め込むことで、該ガイドレーン８ａ，８ｂ，９ａ，９ｂに沿って、すなわち、長手方向（上下）に移動することができる。
【００２４】
また、ガイドレーン８ａ，８ｂ，９ａ，９ｂは、架台５ａ，５ｂ，５ｃに対して、溝の奥が溝の入り口より広がっており、連結部材７ａ，７ｂの両端部を収納可能であるが、溝の入り口で両端部が引っ掛かるように、連結部材７ａ，７ｂの両端部と略同じＴ形状の断面形状にくりぬかれたものである。すなわち、連結部材７ａ，７ｂは、架台５ａ，５ｂ，５ｃの長手方向に垂直に移動させても、ガイドレーン８ａ，８ｂ，９ａ，９ｂから抜けないように取り付けられている。
【００２５】
また、連結部材７ａ，７ｂは、ガイドレーン８ａ，８ｂ，９ａ，９ｂの溝の深さを一定になるようにすることで、板材４ｂ、４ｃと清掃ブラシ６ａ，６ｂとの間をそれぞれ一定に離すことができ、且つ、板材４ｂ、４ｃに清掃ブラシ６ａ，６ｂが接触可能な距離になるように長さを調整されている。従って、板材４ｂ，４ｃと清掃ブラシ６ａ，６ｂとは、連結部材７ａ，７ｂの長さから背面側ガイドレーン８ａ，８ｂと正面側ガイドレーン９ａ，９ｂの溝の深さを差し引いた距離だけ離すことができ、清掃ブラシ６ａ，６ｂをガイドレーン８ａ，８ｂ，９ａ，９ｂに沿って移動させることで、清掃することかできる。
【００２６】
また、ガイドレーン８ａ，８ｂ，９ａ，９ｂが架台５ａ，５ｂ，５ｃの両端部を貫通させていないため、連結部材７ａ，７ｂは、架台５ａ，５ｂ，５ｃの長手方向に連続して設けられたガイドレーン８ａ，８ｂ，９ａ，９ｂを移動させることができるが、架台５ａ，５ｂ，５ｃの両端部で連結部材７ａ，７ｂを停止させることができる。よって、第１量水標部材３ａは、第２量水標部材３ｂの上端部、もしくは、下端部で固定することができる。また、第２量水標部材３ｂは、第３量水標部材３ｃの上端部、もしくは、下端部で固定することができる。
【００２７】
そして、量水標本体２は、第１量水標部材３ａの第１清掃ブラシ６ａと第２量水標部材３ｂの第２板材４ｂとを、又は、第２量水標部材３ｂの第２清掃ブラシ６ｂと第３量水標部材３ｃの第３板材４ｃとを連結手段で（間接的に）連結して、長手方向が垂直になるように、具体的には、第１量水標部材３ａの板材４ａが一番正面にくるように配置される。そして、第１量水標部材３ａは、連結手段によって、上端を第２量水標部材３ｂの下端まで下方に移動させることができ、また、下端を第２量水標部材３ｂの上端まで上方に移動させることができる。また、第２量水標部材３ｂを移動させる場合も同様である。
【００２８】
また、第１量水標部材３ａを上方に移動させて、下端が第２量水標部材３ｂの上端まで至ると、第２量水標部材３ｂを下端で引っ掛けることができ、さらに、第１量水標部材３ａを上方に移動させつづけると、第２量水標部材３ｂを上方に従動させることができる。よって、第２量水標部材３ｂそれ自体を上方に移動させる必要はなく、第１量水標部材３ａを上方に引くことで、第２量水標部材３ｂも上方に従動させることができる。
【００２９】
また、第１量水標部材３ａを下方に移動させることで、第１量水標部材３ａと重なっていた第２量水標部材３ｂの第２板材４ａが、又は、第２量水標部材３ｂを下方に移動させて、第１量水標部材３ａと第２量水標部材３ｂとが重なっていた第３量水標部材３ｃの第３板材４ｃが視認可能な状態となり、この状態で、第１板材４ａ及び第２板材４ｂの水位計測用目盛、又は、第２板材４ｂ及び第３板材４ｃの水位計測用目盛が誤差を出すことなく、一致するようになっている。例えば、第１量水標部材３ａを下方に移動させたとき、第１板材４ａの上限である水位１．０ｍの水位計測用目盛と第２板材４ｂの下限である水位１．０ｍの水位計測用目盛が一致するようになっている。
【００３０】
しかし、第１量水標部材３ａを下方に移動させても、第１量水標部材３ａの上端と第２量水標部材３ｂの下端が重なり合う部分がある。この重なり合う部分に備えられた第２板材４ｂは、外部から水位計測用目盛を視認することができないので、この部分まで第２板材４ｂを取り付ける必要がない。そして、第３量水標部材３ｃについても、同様である。
【００３１】
また、量水標部材３ａ，３ｂ，３ｃの中で、最も水位が低い、すなわち、水位０ｍを表す第１量水標部材３ａは、下端部に長手方向と垂直となるようにアングル１０が取り付けられている。該アングル１０は、第１量水標部材３ａの下端部から第３量水標部材３ｃの真下まで有している。よって、第１量水標部材３ａは、第２量水標部材３ｂ及び第３量水標部材３ｃより下方に移動させることができるが、第２量水標部材３ｂ及び第３量水標部材３ｃは、アングル１０があるため、第１量水標部材３ａより下方に移動させることができない。従って、量水標本体２は、量水標部材３ａ，３ｂ，３ｃ同士を重なり合わせた状態から、第１量水標部材３ａを下方に移動させると、下方から順に、第１量水標部材３ａ，第２量水標部材３ｂ，第３量水標部材３ｃと配置される。
【００３２】
そして、例えば、第１量水標部材３ａを第２量水標部材３ｂと同じレベルまで上方に移動させると、アングル１０は、第２量水標部材３ｂの下端に当接して、第１量水標部材３ａと共に上方に移動させることができる。さらに、第１量水標部材３ａを第３量水標部材３ｃと同じレベルまで上方に移動させると、第３量水標部材３ｃの下端にも当接して、第１量水標部材３ａ及び第２量水標部材３ｂと共に上方に移動させることができる。また、アングル１０は、計測する水位の基準面を表すものでもある。よって、第１板材４ａの水位計測用目盛は、アングル１０を取り付ける高さが０ｍになるようになっている。
【００３３】
さらに、アングル１０を備えた第１量水標部材３ａは、第１板材４ａの上面の略中央にアイボルトなどの吊フック１１を備えている。該吊フック１１は、第１量水標部材３ａを上方に移動させ、又は、他の量水標部材３ｂを従動させるために備えている。
【００３４】
また、前記量水標１は、板材４ａ，４ｂ，４ｃの正面に付された標示が外部から視認可能なように量水標本体２を覆う防護カバー１５を備えている。該防護カバー１５は、幅が量水標部材３ａ，３ｂ，３ｃの幅以上あり、奥行きが量水標部材３ａ，３ｂ，３ｃを連結させた状態の奥行き以上あり、高さが第１量水標部材３ａを下方に移動させて、板材４ａ，４ｂ，４ｃの正面に付された標示が視認可能な状態より高い、略立方形の外形を有するカバー本体１６を備えている。
【００３５】
また、防護カバー１５は、第１量水標部材３ａを下方に移動させ、且つ、第２量水標部材３ｂを下方に従動させることができる空間を空けて、第３量水標部材３ｃの背面を内側に固定している。また、防護カバー１５は、第３量水標部材３ｃを固定した状態で、第１量水標部材３ａを下方に移動させ、且つ、第２量水標部材３ｂを下方に従動させた状態で、板材４ａ，４ｂ，４ｃと対面する部分に開放部１７を備えている。よって、この開放部１７によって、板材４ａ，４ｂ，４ｃの水位計測用目盛を外部から視認することができるようになっている。
【００３６】
また、防護カバー１５は、量水標部材３ａ，３ｂを上下方向に移動させるときに前後方向にずれないように、量水標部材３ａ，３ｂ，３ｃの両側端を嵌め込み、移動させる方向に沿って延設させ、上下方向に量水標部材３ａ，３ｂを案内するガイド溝１８ａ，１８ｂ，１８ｃを備えている。具体的には、第１ガイド溝１８ａは、第２量水標部材３ｂを従動させて、第１量水標部材３ａを下方に移動可能な範囲まで設けられている。第２ガイド溝１８ｂは、第２量水標部材３ｂを下方に移動可能な範囲まで設けられている。そして、第３ガイド溝１８ｃは、第３量水標部材３ｃが防護カバー１５に固定されているため、固定する部分にのみに設けられている。
【００３７】
また、防護カバー１５は、清掃ブラシ６ａ，６ｂでは清掃することができない、清掃ブラシ６ａ，６ｂと対面しない第１板材４ａの正面と接触可能な位置に、第２の清掃部材を備えている。該第２の清掃部材は、ブラシの毛を円筒部材の表面に植え込んだ清掃ローラ１９である。そして、該清掃ローラ１９は、第２量水標部材３ｂを従動させて、第１量水標部材３ａを下方に移動させた状態で、第１板材４ａの上端部と接触する位置に備えられている。なお、清掃ローラ１９の位置は、第１量水標部材３ａを上方に移動させたときに、第１板材４ａと接触することができる位置であれば、上記の位置より高い位置でもよい。また、防護カバー１５は、清掃ローラ１９の横ずれ防止のため、清掃ローラ１９の側面方向を当接するガイド板２０を備えている。
【００３８】
また、防護カバー１５は、第１量水標部材３ａを上方に移動させる際に後述するワイヤ２５を通す貫通穴２１を上面に備えている。該貫通穴２１は、第１量水標部材３ａの吊フック１１の略真上に備えられている。また、防護カバー１５は、アンカーボルトなどで、ダムの提体などに固定するためのフランジ２２を背面に備えている。
【００３９】
また、前記量水標１は、板材４ｂ，４ｃの正面に清掃ブラシ６ａ，６ｂを接触させつつ、第１量水標部材３ａを防護カバー１５の上部から吊り上げることで移動させ、及び、第２量水標部材３ｂを従動させて、板材４ｂ，４ｃの正面を操作するための操作手段を備えている。該操作手段は、具体的には、巻上装置と、該巻上装置に一端をつないだワイヤ２５とを備え、ワイヤ２５の他端は、第１量水標部材３ａの吊フック１１に接続される。
【００４０】
従って、操作手段は、巻上装置でワイヤ２５を巻き上げると、量水標部材３ａ，３ｂを上方に移動させることができ、また、ワイヤ２５を巻き下げると、量水標部材３ａ，３ｂを下方に移動させることができる。なお、他の用途の巻上装置を清掃時期だけ借用するようなときは、第１量水標部材３ａと第２量水標部材３ｂを下方に移動させた後にワイヤ２５を巻上装置から取り外すようにしてもよい。
【００４１】
次に、本実施形態に係る量水標の清掃方法について、図２を参酌しつつ説明する。量水標１は、第１量水標部材３ａと第２量水標部材３ｂとを下方に移動させて、板材４ａ，４ｂ，４ｃの水位計測用目盛が視認可能な状態で、アングル１０を水位の基準面に合わせて、ダムの提体に取り付けられている。しかし、量水標１をダムに取り付けてから長期間が経つことで、板材４ａ，４ｂ，４ｃなどに泥やコケなどが付着し、水位計測用目盛が視認しづらくなる。このようなときに、量水標１の清掃が必要となる。
【００４２】
そこで、巻上装置でワイヤ２５を巻き上げて、第１量水標部材３ａを上方に移動させると（同図（ａ）参照）、第２板材４ｂは、第１清掃ブラシ６ａと接触する位置より上方の面に付着した泥やコケなども取り除きながら移動する。同時に、第１板材４ａも、清掃ローラ１９と接触する位置より下方の面に付着した泥やコケなどを取り除きながら、移動する（同図（ｂ）参照）。
【００４３】
さらに、巻上装置でワイヤ２５を巻き上げて、第１量水標部材３ａを上方に移動させると、第１量水標部材３ａは、第２量水標部材３ｂと同じ高さに達する（同図（ｃ）参照）。さらに、第１量水標部材３ａを上方に移動させつづけると、アングル１０が第２量水標部材３ｂの下端に当接して、第２量水標部材３ｂも上方に従動させる。第２量水標部材３ｂを従動させると、第３板材４ｃは、第２清掃ブラシ７ｂと接触する位置より上方の面に付着した泥やコケなども取り除きながら移動する（同図（ｄ）参照）。
【００４４】
そして、最終的には、防護カバー１５に固定された第３量水標部材３ｃと同じ高さに達すると、アングル１０が第３量水標部材３ｃの下部に引っ掛かることで、巻上げが停止される。よって、量水標１の水位計測用目盛が付された板材４ａ，４ｂ，４ｃを清掃することができる。そして、巻上装置で巻き上げていたワイヤ２５を巻き下げて、アングル１０が水位の基準面まで戻ると、清掃作業は、完了する。
【００４５】
従って、本実施形態に係る量水標１は、巻上装置でワイヤ２５を巻き上げることで、清掃を行うことができ、清掃が完了すれば、巻上装置で巻き上げたワイヤ２５を巻き下げるだけで、板材４ａ，４ｂを設置することができ、複数に分割した量水板を防護カバー１５から、又は、防護カバー１５をダムから取り外すことなく、簡単且つ安全に量水板の清掃が行うことができる。
【００４６】
なお、上記実施形態に係る量水標１は、第２の清掃部材である清掃ローラ１９を円筒部材の表面にブラシの毛を埋め込んだ例を説明したが、これに限定されるものではなく、略長方形状にブラシの毛を埋め込むようにしてもよい。
【００４７】
次に、本発明に係る量水標の第二実施形態について、図３及び図４を参酌しつつ、説明する。なお、第一実施形態に係る量水標１と同様の部分については、同一の符号を付して、説明を省略する。
【００４８】
＜第二実施形態＞
まず、本実施形態に係る量水標の構成について、図３を参酌しつつ説明する。該量水標１０１は、第一実施形態と同様に量水標本体１０２を備えている。そして、量水標本体１０２は、第一実施形態と同様に３基の量水標部材１０３ａ，３ｂ，１０３ｃを備えている。そして、第１量水標部材１０３ａは、正面に第１板材４ａ、背面に第１清掃ブラシ７ａを備えているが、アングル１０及び吊フック１１を備えていない。また、第３量水標部材１０３ｃは、正面に第１板材４ｃを、さらに、下端にアングル１０を、そして、上面の略中央に吊フック１１を備えている。
【００４９】
そして、量水標本体１０２は、第一実施形態と同様に、第二量水標部材３ｂと第一量水標部材３ａとを連結する連結手段、及び、第三量水標部材３ｃと第二量水標部材３ｂとを連結する連結手段とを備える。
【００５０】
しかし、本実施形態に係る第３量水標部材１０３ｃにアングル１０と吊フック１１が取り付けられているため、第３量水標部材１０３ｃは、第１量水標部材１０３ａ及び第２量水標部材３ｂより下方に移動させることができるが、第１量水標部材１０３ａ及び第２量水標部材３ｂは、アングル１０があるため、第３量水標部材１０３ｃより下方に移動させることができない。従って、本実施形態に係る量水標本体１０２は、量水標部材１０３ａ，３ｂ，１０３ｃ同士を重なり合わせた状態から、第３量水標部材１０３ｃを下方に移動させると、下方から順に、第３量水標部材１０３ｃ，第２量水標部材３ｂ，第１量水標部材１０３ａと一列に配列される。
【００５１】
そして、例えば、量水標部材１０３ａ，３ｂ，１０３ｃを一列に配列した状態で、第３量水標部材１０３ｃを第２量水標部材３ｂと同じレベルまで上方に移動させると、アングル１０は、第２量水標部材３ｂの下端に当接して、第３量水標部材１０３ｃと共に上方に移動させることができる。さらに、第３量水標部材１０３ｃを第１量水標部材１０３ａと同じレベルまで上方に移動させると、第１量水標部材１０３ａの下端にも当接して、第２量水標部材３ｂ及び第３量水標部材１０３ｃと共に上方に移動させることができる。
【００５２】
また、前記量水標１０１は、第一実施形態と同様に、防護カバー１１５を備えている。しかし、該防護カバー１１５は、第１量水標部材１０３ａを固定するため、第２の清掃部材を備えていない。また、防護カバー防護カバー１１５は、第３量水標部材１０３ｃに備えられた吊フック１１の略真上に貫通穴２１を備えている。
【００５３】
また、防護カバー１１５は、量水標部材３ｂ，１０３ｃが上下方向に移動させることで前後方向にずれないように、量水標部材１０３ａ，３ｂ，１０３ｃの両側端を嵌め込み、移動させる方向に沿って延設させ、上下方向に量水標部材３ｂ，１０３ｃを案内するガイド溝１１８ａ，１１８ｂ，１１８ｃを備えている。具体的には、第１ガイド溝１１８ａは、第１量水標部材１０３ａが防護カバー１１５に固定されているため、固定する部分にのみに設けられている。第２ガイド溝１１８ｂは、第３量水標部材１０３ｃを下方に移動可能な範囲まで設けられている。第３ガイド溝１１８ｃは、第２量水標部材３ｂを従動させて、第３量水標部材１０３ｃを下方に移動可能な範囲まで設けられている。
【００５４】
また、前記量水標１０１は、第一実施形態と同様に操作手段を備えている。該操作手段は、具体的には、巻上装置と、該巻上装置に一端をつないだワイヤ２５の他端を第３量水標部材１０３ｃの吊フック１１を接続されたものである。従って、操作手段は、巻上装置でワイヤ２５を巻き上げると、量水標部材３ｂ，１０３ｃを上方に移動させることができ、また、ワイヤ２５を巻き下げると、量水標部材３ｂ，１０３ｃを下方に移動させることができる。
【００５５】
次に、本実施形態に係る量水標の清掃方法について、図４を参酌しつつ説明する。量水標１０１の清掃が必要となると、巻上装置でワイヤ２５を巻き上げて、第３量水標部材１０３ｃを上方に移動させると（同図（ａ）参照）、第３板材４ｃは、第２清掃ブラシ６ｂと接触する位置より下方の面に付着した泥やコケなども取り除きながら移動する（同図（ｂ）参照）。
【００５６】
さらに、巻上装置でワイヤ２５を巻き上げて、第３量水標部材１０３ｃを上方に移動させると、第３量水標部材１０３ｃは、第２量水標部材３ｂと同じ高さに達する（同図（ｃ）参照）。さらに、第３量水標部材１０３ｃを上方に移動させつづけると、アングル１０が第２量水標部材３ｂの下端に当接して、第２量水標部材３ｂを上方に従動させる。第２量水標部材３ｂを従動させると、第２板材４ｂは、第１清掃ブラシ６ａと接触する位置より下方の面に付着した泥やコケなども取り除きながら移動する（同図（ｄ）参照）。
【００５７】
そして、最終的には、防護カバー１１５に固定された第１量水標部材３ａと同じ高さに達すると、アングル１０が第１量水標部材３ａの下部に引っ掛かることで、巻上げが停止される。よって、量水標１０１の水位計測用目盛が付された板材４ａ，４ｂ，４ｃを清掃することができる。そして、巻上装置で巻き上げていたワイヤ２５を巻き下げて、アングル１０が水位の基準面まで戻ると、清掃作業は、完了する。
【００５８】
従って、本実施形態に係る量水標１０１は、巻上装置でワイヤ２５を巻き上げることで、板材４ｂ，４ｃの清掃を行うことができる。清掃が完了すれば、巻上装置で巻き上げたワイヤ２５を巻き下げるだけで、板材４ｂ，４ｃを設置することができ、複数に分割した量水板を防護カバー１１５から、又は、防護カバー１１５をダムから取り外すことなく、簡単且つ安全に量水板の清掃が行うことができる。
【００５９】
なお、本発明は、上記実施形態に限定されず、本発明の要旨を逸脱しない範囲で様々な変更が可能である。
【００６０】
例えば、上記実施形態に係る量水標１，１０１は、量水標部材３ａ，３ｂ，３ｃ，１０３ａ，１０３ｃの中で、最も水位が低い標示が付された第１量水標部材３ａ、もしくは、第３量水標部材１０３ｃのいずれかに吊フック１１を備えて、巻上装置で引き上げる例を説明したが、これに限定されるものではなく、最も水位が高い標示が付された第３量水標部材３ｃ、もしくは、第１量水標部材１０３ａにも吊フック１１を備えて、巻上装置で量水標部材３ａ，３ｂ，３ｃを搬出することができるようにしてもよい。
【００６１】
ここで、第一実施形態に係る量水標１において、第３量水標部材３ｃにも吊フック１１が備えられており、巻上装置で引き上げることができる変形例１を、図５を参酌しつつ、説明する。なお、第一実施形態に係る量水標１と同様の部分については、同じ符号を用いて、説明を省略する。また、第二実施形態に係る量水標１０１に対しても適用することができる。
【００６２】
まず、変形例１に係る量水標２０１は、第１量水標部材３ａの第１架台５ａに加え、第３量水標部材２０３ｃの第３架台５ｃの上面の略中央にも吊フック１１が備えられている。また、防護カバー２１５は、第１量水標部材３ａ及び第３量水標部材２０３ｃに接続するワイヤ２２５ａ，２２５ｂを通すため、及び、量水標部材３ａ，３ｂ，２０３ｃを引き出せる大きさの開口を上面に備えている。また、変形例１に係る操作手段は、２台の巻上装置と、第１の巻上装置に一端をつなぎ、他端を第１量水標部材３ａの吊フック１１に接続される第１ワイヤ２２５ａと、第２の巻上装置に一端をつなぎ、他端を第３量水標部材２０３ｂの吊フック１１に接続される第２ワイヤ２２５ｂとを備えている。
【００６３】
ここで、変形例１に係る清掃方法は、第一実施形態と同様であるため、説明を省略し、搬出方法について、図５を参酌しつつ、説明する。まず、量水標部材３ａ，３ｂを第３量水標部材２０３ｃと同じ高さになるまで第１の巻上装置を巻き上げる（同図（ａ）〜（ｅ）参照）。ここまでは、第一実施形態に係る清掃方法の第３板材４ｃを第２清掃ブラシ６ｂで清掃するまでと同様である。そして、第１の巻上装置と同時に、第２の巻上装置を巻き上げて、第１ワイヤ２２５ａにつながれた第１量水標部材３ａと、第２ワイヤ２２５ｂにつながれた第３量水標部材２０３ｃとをさらに上方に移動する。このとき、第２量水標部材３ｂも、アングル１０に下端を当接させて、上方に従動する。そして、そのまま防護カバー２１５の上面の開口から量水標部材３ａ，３ｂ，２０３ｃを搬出することができる（同図（ｆ）参照）。
【００６４】
従って、変形例１に係る量水標２０１は、操作手段を操作することによって、板材４ａ，４ｂ，４ｃの清掃を行うことができるだけでなく、ワイヤ２２５ａ，２２５ｂを巻き上げることで、量水標部材３ａ，３ｂ，２０３ｃを防護カバー２１５から搬出することができる。また、防護カバー２１５をダムから取り外すことなく、簡単且つ安全に交換を行うことができる。
【００６５】
また、上記実施形態に係る量水標１，１０１は、量水標部材３ａ，３ｂ，３ｃ，１０３ａ，３ｂ，１０３ｃの中で、最も水位が低い標示が付された第１量水標部材３ａ、もしくは、第３量水標部材１０３ｃのいずれかにアングル１０を備える例を説明したが、これに限定されるものではなく、アングル１０を備えないものであってもよい。
【００６６】
ここで、第一実施形態に係る量水標１において、第１量水標部材３ａにアングル１０が備えられていない変形例２を、図６を参酌しつつ、説明する。なお、第一実施形態に係る量水標１と同様の部分については、同じ符号を用いて、説明を省略する。また、第二実施形態に係る量水標１０１に対しても適用することができる。
【００６７】
まず、変形例２に係る量水標３０１の構造について、説明する。量水標３０１は、上述の通り、第一実施形態に係る第１量水標部材３ａにアングル１０が備えられていない第１量水標部材３０３ａ以外は第一実施形態と同様である。また、防護カバー３１５は、第１量水標部材３０３ａに接続するワイヤ２５を通すため、及び、量水標部材３０３ａ，３ｂを引き出せる大きさの開口が上面に備えている。また、防護カバー３１５は、開口部の上方に第２の清掃部材３１９を備えている。
【００６８】
次に変形例２に係る量水標の清掃方法について、図６を参酌しつつ説明する。量水標３０１は、第一実施形態と同様に、巻上装置でワイヤ２５を巻き上げて、第１量水標部材３０３ａを上方に移動させると（同図（ａ）参照）、第２板材４ｂは、第１清掃ブラシ７ａによって、付着した泥やコケなどを取り除きながら、移動する（同図（ｂ）及び（ｃ）参照）。
【００６９】
さらに、巻上装置でワイヤ２５を第１量水標部材３０３ａの下端が第２量水標部材３ｂの上端に達するまで巻き上げると（同図（ｄ）参照）、第１量水標部材３０３ａは、第２量水標部材３ｂを下端で引っ掛けることができる。また、第１板材４ａは、清掃ローラ３１９によって、それぞれに付着した泥やコケなどを取り除きながら、移動する。さらに、第１量水標部材３０３ａを上方に移動させつづけると、第２量水標部材３ｂを上方に従動させることができ（同図（ｅ）及び（ｆ）参照）、第２量水標部材３ｂの下端が第３量水標部材３ｃの上端に達するまで巻き上げされる（同図（ｇ）参照）。そして、第３板材４ｃは、第２清掃ブラシ７ｂによって、付着した泥やコケなどを取り除きながら、移動する。
【００７０】
また、第１量水標部材３０３ａが第２量水標部材３ｂより上方に移動し、第２量水標部材３ｂが第３量水標部材３ｃより上方に移動することで、外部から清掃ブラシ６ａ，６ｂを視認可能となり、清掃ブラシ６ａ，６ｂの傷み具合などをチェックすることができる。
【００７１】
従って、変形例２に係る量水標３０１は、操作手段を操作することによって、板材４ａ，４ｂ，４ｃの清掃を行うことができるだけでなく、防護カバー３１５の内側で配置され、外部から視認することができない清掃ブラシ６ａ，６ｂの傷み具合などをチェックすることができ、清掃ブラシ６ａ，６ｂを防護カバー３１５から、又は、防護カバー３１５をダムから取り外すことなく、簡単且つ安全にチェックを行うことができる。
【００７２】
また、変形例２に係る量水標３０１は、清掃ローラ３１９が上方に、又は、板材４ａ，４ｂ，４ｃと干渉しない高さに備えることで、板材４ａ，４ｂ，４ｃに付された水位計測用目盛のすべてを視認可能とすることができる。
【００７３】
また、上記実施形態に係る量水標１，１０１は、計測可能な水位を３ｍとし、また、１基あたりの計測可能な水位を１ｍとするために、長手方向に３分割された３基の量水標部材３ａ，３ｂ，３ｃ，１０３ａ，１０３ｃを例に説明したが、これに限定されるものではなく、計測可能な水位に合わせて、１基あたりの水位と、分割数を自由に決めることができ、また、量水板の分割は、均等に分割する必要もない。
【００７４】
また、上記実施形態に係る量水標１，１０１は、連結部材７ａ，７ｂを背面側ガイドレーン８ａ，８ｂと正面側ガイドレーン９ａ，９ｂにそれぞれ移動可能なように連結する例を説明したが、これに限定されるものではなく、連結部材の一方を各架台に固定し、他方をガイドレーンに移動可能なように連結してもよい。これによると、第一及び第二実施形態に係る量水標１，１０１にアングル１０を使用しなくとも、同様の効果を得ることができる。
【００７５】
また、上記実施形態に係る量水標１，１０１は、第１量水標部材３ａ，１０３ａ及び第２量水標部材３ｂの背面に清掃部材を備える例を説明したが、これに限定されるものではなく、操作手段により量水標部材を移動させることで、清掃部材が板材に接触することができればよく、清掃部材が量水標部材の下端部もしくは上端部にのみ備えられていてもよい。
【００７６】
また、上記実施形態に係る量水標１，１０１は、断面型状がフラット状であるＩ型の量水板であったが、これに限定されるものではなく、断面型状が半円型状である凸型の量水板であってもよい。また、この凸型の量水板を使用した量水標は、それぞれの架台の断面型状を、半円状に切り抜かれた凹部にして、該凹部に清掃部材を備えることで、量水板の正面に操作手段が当接できるようにしてもよい。よって、この凸型の量水板を使用した量水標は、防護カバーにガイド溝が備わっていなくとも、架台の凹部に量水板の凸部が嵌め込まれるため、横ずれ防止効果を得ることができる。
【００７７】
また、上記実施形態に係る量水標１，１０１は、ブラシを利用した例を説明したが、これに限定されるものではなく、スポンジや布製の雑巾を取り付けたものであってもよい。
【００７８】
また、上記実施形態に係る量水標１，１０１は、垂直に設置する例を説明したが、これに限定されるものではなく、斜めに設置するものであってもよい。
【００７９】
また、上記実施形態に係る量水標１，１０１は、量水標本体２，１０２を防護カバー１５，１１５に収納した例を説明したが、これに限定されるものではなく、防護カバーを備えていないものであってもよい。但し、急激な流れのある河川等に設置することにより、量水標本体がこの流れに流される場合は、流されないように量水標本体の重量を上げたり、錘や碇を量水標本体の下端に取り付けるものであってもよい。
【００８０】
また、上記実施形態に係る量水標１，１０１は、防護カバー１５，１１５の正面を外部から板材４ａ，４ｂ，４ｃの標示が視認可能なように開放部１７を備わっている例を説明したが、これに限定されるものではなく、防護カバーの開口部に透明な部材で塞いで、開口部からも直接，波などが当たらないようにしてもよい。そして、正面の開口部の替わりに、下端を開放したり、側面もしくは下面に防護カバーの内外を水が流通する流通孔を多数設けるようにしてもよい。
【００８１】
また、上記実施形態に係る量水標１，１０１は、板材４ａ，４ｂ，４ｃを連結手段によって間接的に連結する例を説明したが、これに限定されるものではなく、板材４ａ，４ｂ，４ｃを直接連結して、板材４ａ，４ｂ，４ｃの背面に清掃部材を直接取り付けるものであってもよい。
【００８２】
また、上記実施形態に係る量水標１，１０１は、下端部を０ｍとする水位計測用目盛が付された標示が正面に付された量水板を例に説明したが、これに限定されるものではなく、上端部を０ｍとして水深計測用目盛、下端部と上端部の間のいずれかを０ｍとして、水位及び水深の計測用目盛、又は、洪水危険レベルなどが付された標示であってもよい。
【符号の説明】
【００８３】
１，１０１，２０１，３０１…量水標、２，１０２…量水標本体、３ａ，１０３ａ…第１量水標部材、３ｂ…第２量水標部材、３ｃ，１０３ｃ，２０３ｃ，３０３ａ…第３量水標部材、４ａ…第１板材（板材）、４ｂ…第２板材（板材）、４ｃ…第３板材（板材）、５ａ…第１架台、５ｂ…第２架台、５ｃ…第３架台、６ａ…第１清掃ブラシ（清掃部材）、６ｂ…第２清掃ブラシ（清掃部材）、７ａ…第１連結部材（連結手段）、７ｂ…第２連結部材（連結手段）、８ａ…第１背面側ガイドレーン（連結手段）、８ｂ…第２背面側ガイドレーン（連結手段）、９ａ…第１正面側ガイドレーン（連結手段）、９ｂ…第２正面側ガイドレーン（連結手段）、１０…アングル、１１…吊フック、１５，１１５，２１５，３１５…防護カバー、１６…カバー本体、１７…開放部、１８ａ，１１８ａ…第１ガイド溝、１８ｂ，１１８ｂ…第２ガイド溝、１８ｃ，１１８ｃ…第３ガイド溝、１９，３１９…清掃ローラ（第２の清掃部材）、２０…ガイド板、２１…貫通穴、２２…フランジ、２５…ワイヤ（操作手段）、２２５ａ…第１ワイヤ（操作手段）、２２５ｂ…第２ワイヤ（操作手段）
【図１】
2010243228.tif 000003
【図２】
2010243228.tif 000004
【図３】
2010243228.tif 000005
【図４】
2010243228.tif 000006
【図５】
2010243228.tif 000007
【図６】
2010243228.tif 000008